(57)【要約】  【課題】伸縮機能付きハンガーラックを提供する。  【解決手段】本考案は、主に第１横棒１０と、それぞれ第１端２１と、第２端２２とを有する２本の縦棒２０とを備え、前記２本の縦棒の第１端には、それぞれ第１横棒の両側端が連結されて、前記２本の縦棒の第２端には、それぞれ脚台３０が連結される。当該縦棒は、中空管体構造を呈する第１管体２３と、前記第１管体の内部に一部嵌め込まれる第２管体２４と、第１位置決め具２５とを有し、前記第１管体の底端が前記脚台と連結され、かつ前記第１管体の管壁に第１位置決め孔が開孔して形成され、前記第２管体の頂端が前記第１横棒の一端と互いに連結され、かつ前記第２管体の管壁に前記第１位置決め孔に対応して少なくとも２つの第２位置決め孔２４１が開孔して形成され、第１位置決め具を、前記第１、第２位置決め孔に突き通すことにより、前記第１、第２管体をロック固定状態に位置させる。  【選択図】図１
0003215641.tif 000002
【実用新案登録請求の範囲】
【請求項１】
第１横棒１０と、それぞれ第１端２１と、第２端２２とを有する２本の縦棒２０とを備える伸縮機能付きハンガーラックであって、
前記２本の縦棒２０の第１端２１には、それぞれ前記第１横棒１０の両側端が連結されて、前記２本の縦棒２０の第２端２２には、それぞれ脚台３０が連結され、
当該縦棒２０は、中空管体構造を呈する第１管体２３と、前記第１管体２３の内部に一部嵌め込まれる第２管体２４と、第１位置決め具２５とを有し、
前記第１管体２３の底端が前記脚台３０と連結され、かつ前記第１管体２３の管壁に第１位置決め孔２３１が開孔して形成され、
前記第２管体２４の頂端が前記第１横棒１０の一端と互いに連結され、かつ前記第２管体２４の管壁に前記第１位置決め孔２３１に対応して少なくとも２つの第２位置決め孔２４１が開孔して形成され、
前記第１位置決め具２５を、前記第１位置決め孔２３１と、当該第２位置決め孔２４１とに選択的に突き通すことにより、前記第１管体２３と前記第２管体２４とをロック固定状態に位置させることを特徴とする、伸縮機能付きハンガーラック。
【請求項２】
前記第１位置決め具２５は、頭部２５１と、前記頭部２５１の一端面から垂直に延びるねじ山部２５２と、前記ねじ山部２５２から前記頭部２５１の一端面と遠ざかって垂直に突出する凸部２５３とを含み、前記ねじ山部２５２の外径が前記凸部２５３の外径よりも大きく、また前記ねじ山部２５２と前記凸部２５３との間に段差部２５４が形成され、前記第１管体２３と前記第２管体２４とがロック固定状態に位置する場合、前記ねじ山部２５２が前記第１位置決め孔２３１に突き通され、前記凸部２５３が前記第１位置決め孔２３１を貫通して当該第２位置決め孔２４１内に挿入され、また前記段差部２５４が前記第２管体２４の管壁に当接して突っ張ることで、前記第２管体２４の一部外周縁を前記第１管体２３の一部内周縁に当接させることを特徴とする、請求項１に記載の伸縮機能付きハンガーラック。
【請求項３】
前記ねじ山部２５２が前記第１位置決め孔２３１内に螺合されることを特徴とする、請求項２に記載の伸縮機能付きハンガーラック。
【請求項４】
中空筐体構造を呈する取付座４０をさらに備え、前記第１位置決め孔２３１の位置に応じた部位において、前記取付座４０が前記第１管体２３の外周縁に嵌め込まれて固定され、かつ前記第１位置決め孔２３１に対応して、前記取付座４０に前記第１位置決め具２５の前記ねじ山部２５２の螺合のためのねじ孔４１が開孔して形成されることを特徴とする、請求項２に記載の伸縮機能付きハンガーラック。
【請求項５】
第２横棒５０をさらに備え、前記第２横棒５０の両端側がそれぞれ前記２本の縦棒２０の前記第１管体２３上に摺設されて、前記第２横棒５０が前記第１管体２３同士間の相対位置に位置決めされるように、前記第２横棒５０の各一端が第２位置決め具５１を介して選択的にロック緊締されることを特徴とする、請求項３または４に記載の伸縮機能付きハンガーラック。
【考案の詳細な説明】
【技術分野】
【０００１】
本考案は、ハンガーラックに係り、特に伸縮機能付きハンガーラックの斬新な構造形態の開示に関するものである。
【背景技術】
【０００２】
従来の伸縮棒は、通常、内管と、外管と、ボルトとを備え、外管に複数個の位置決め孔が開孔して形成され、前記内管は、外管内に一部嵌め込まれてから、ボルトを利用して位置決め孔内に螺着されることで、ボルトの自由端を内管の管壁に当接させ、これにより、前記内管に係止固定され、かつ内管は、前記外管と相対的に移動不能に保持される。
【考案の概要】
【考案が解決しようとする課題】
【０００３】
ただし、この種の従来の伸縮棒の構造形態は、実際の使用経験において、依然として下記の問題点が存在することが発見された。従来の伸縮棒は、内管の管壁にボルトのみで当接するので、確実な係止取付を提供できず、容易に係止取付から離脱するおそれがある。さらに、前述した内管の係止取付から離脱する問題を回避するために、通常、使用者は、ボルトを回すには相当の力をかけない限り、それを内管の管壁に緊迫させることができないので、このような動きに起因して、容易に指に力が入りすぎて痛みを感じるようになってしまい、かつボルトの体積が小さいので、作用点がないため、力を加えることが困難となる問題がある。このほか、内管と、外管との管径に差異があるため、内管を外管の内部に嵌挿する時に、両者の間に必ず隙間が存在し、これにより、内管が外管内に滑動するのを許容することになるが、却って、使用上、従来の伸縮棒が揺動しやすく、不安定になる問題が起こり得る。
【０００４】
本考案は、伸縮機能付きハンガーラックを提供することを主な目的とし、その解決しようとする技術的課題は、如何にしてより理想的で実用性のあるオリジナルな伸縮機能付きハンガーラックの構造形態を研究開発するかを目標として革新突破を図ることである。
【課題を解決するための手段】
【０００５】
本考案の課題を解決するための技術的特長は、主に上記の伸縮機能付きハンガーラックが、第１横棒と、それぞれ第１端と、第２端とを有する２本の縦棒とを備えることにあり、前記２本の縦棒の第１端には、それぞれ前記第１横棒の両側端が連結されて、前記２本の縦棒の第２端には、それぞれ脚台が連結され、その中、当該縦棒は、中空管体構造を呈する第１管体と、前記第１管体の内部に一部嵌め込まれる第２管体と、第１位置決め具とを有し、前記第１管体の底端が前記脚台と連結され、かつ前記第１管体の管壁に第１位置決め孔が開孔して形成され、前記第２管体の頂端が前記第１横棒の一端と互いに連結され、かつ前記第２管体の管壁に前記第１位置決め孔に対応して少なくとも２つの第２位置決め孔が開孔して形成され、第１位置決め具を、前記第１、第２位置決め孔に選択的に突き通すことにより、前記第１、第２管体をロック固定状態に位置させる。
【０００６】
好ましくは、前記第１、第２管体が断面で方形の管体であることで、第２管体を第１管体と相対的に摺動自在かつ相対的に回転不能に保持する。
【考案の効果】
【０００７】
このような斬新な独特の構成によれば、本考案の第１位置決め具の凸部が前記第１位置決め孔を貫通して当該第２位置決め孔に挿入され、かつ第１位置決め具の段差部が前記第２管体の管壁で突っ張ることで、前記第２管体の一部外周縁を前記第１管体の一部内周縁に当接させ、これにより、第１位置決め具による直接かつ便利に緊迫・当接する固定方式を利用して、さらに本考案のハンガーラックの耐荷重性能を増大させることができ、かつより簡便な伸縮調節方式をさらに提供することができる。さらに、第１、第２管体が断面で方形の管体であるため、第２管体を第１管体と相対的に摺動自在かつ相対的に回転不能に保持し、かつ脚台を第１管体上にロックしているため、第１管体との相対的回転に伴うハンガーラックの揺れが防止されることから、ハンガーラック構造の安定度が改善され、とりわけ実用性、技術的利点と好適な産業上の利用効果を有する。
【図面の簡単な説明】
【０００８】
【図１】本考案の伸縮機能付きハンガーラックの好適な実施形態の組合せ斜視図である。
【図２】図１に続く作動模式図であり、この図は第１横棒の高さ位置を調整する態様を示している。
【図３】図２に続く作動模式図であり、この図は第２横棒の高さ位置を調整する態様を示している。
【図４】本考案の一部分解斜視図であり、この図は第１管体、第２管体、第１位置決め具及び取付座の配置関係を示している。
【図５】図４に続く組合せ断面図である。
【図６】図５に続く別の視角からの断面図である。
【図７】図６に続く作動模式図であり、この図は第２管体の一部外周縁が第１管体の一部内周縁を当接圧迫する態様を示している。
【図８】本考案の一部分解斜視図であり、この図は第１横棒、第１係合具、第２係合具及びボルトの配置関係を示している。
【図９】本考案の第２実施形態の斜視模式図である。
【考案を実施するための形態】
【０００９】
図１、図４及び図５を参照し、これらの図に示すのは、本考案の伸縮機能付きハンガーラックの好適な実施形態であるが、これらの実施形態は説明のみに用いられるもので、実用新案登録請求の際、それらの構造に制限されないものとする。上記の伸縮機能付きハンガーラックは、第１横棒１０と、２本の縦棒２０とを備え、前記２本の縦棒２０は、それぞれ第１端２１と、第２端２２とを有し、前記２本の縦棒２０の第１端２１には、それぞれ前記第１横棒１０の両側端が連結されて、前記２本の縦棒２０の第２端２２には、それぞれ脚台３０が連結される。
【００１０】
上記の縦棒２０は、第１管体２３と、第２管体２４と、第１位置決め具（蝶ねじ）２５とを有し、その中、第１管体２３は、中空管体構造を呈し、前記第１管体２３の底端が前記脚台３０と連結され、かつ前記第１管体２３の管壁に第１位置決め孔２３１が開孔して形成される。第２管体２４は、前記第１管体２３の内部に一部嵌め込まれ、前記第２管体２４の頂端が前記第１横棒１０の一端と互いに連結され、かつ前記第２管体２４の管壁に前記第１位置決め孔２３１に対応して少なくとも２つの第２位置決め孔２４１が開孔して形成される。本例において、前記第１管体２３と、第２管体２４とが断面で方形の管体であることで、第２管体２４を第１管体２３と相対的に摺動自在かつ相対的に回転不能に保持し、かつ脚台３０を第１管体２３上にロックしているため、第１管体２３との相対的回転に伴うハンガーラックの揺れが防止される。
【００１１】
上記の第１位置決め具２５を、前記第１位置決め孔２３１と、第２位置決め孔２４１とに選択的に突き通すことにより、前記第１管体２３と第２管体２４とをロック固定状態に位置させる。第１位置決め具２５は、頭部２５１と、前記頭部２５１の一端面から垂直に延びるねじ山部（ねじ軸部）２５２と、前記ねじ山部２５２から前記頭部２５１の一端面と遠ざかって垂直に突出する凸部２５３とを含み、前記ねじ山部２５２の外径が前記凸部２５３の外径よりも大きく、また前記ねじ山部２５２と前記凸部２５３との間に段差部２５４が形成され、前記第１管体２３と第２管体２４とがロック固定状態に位置する場合、前記ねじ山部２５２が前記第１位置決め孔２３１に螺合され、前記凸部２５３が前記第１位置決め孔２３１を貫通して当該第２位置決め孔２４１内に挿入され、また前記段差部２５４が前記第２管体２４の管壁に当接して突っ張ることで、前記第２管体２４の一部外周縁を前記第１管体２３の一部内周縁に当接させる。本例において、前記頭部２５１の外周縁に径方向に沿って少なくとも１つのグリップ２５５が延設される。
【００１２】
本例において、本考案の伸縮機能付きハンガーラックは、中空筐体構造を呈する取付座４０をさらに備え、前記第１位置決め孔２３１の位置に応じた部位において、前記取付座４０が前記第１管体２３の外周縁に嵌め込まれて固定され、かつ前記取付座４０に前記第１位置決め孔２３１に対応して、中に内ねじを有するねじ孔４１が開孔して形成される。
【００１３】
本例において、本考案の伸縮機能付きハンガーラックは、第２横棒５０をさらに備え、前記第２横棒５０の両端側がそれぞれ前記２本の縦棒２０の第１管体２３上に摺設されて、前記第２横棒５０が前記第１管体２３同士間の相対位置に位置決めされるように、前記第２横棒５０の各一端が第２位置決め具５１を介して選択的にロック緊締される。
【００１４】
図８に示すように、本例において、本考案の伸縮機能付きハンガーラックは、第１係合具６０及び第２係合具６１で構成されるブラケットをさらに備え、前記第１係合具６０は、第１係入溝６０１と、前記第１係入溝６０１の底部に位置する第１ロック孔６０２とを有し、かつ前記第１係合具６０の外壁が前記第１横棒１０の一側端上に固設され、前記第２係合具６１は、第２係入溝６１１と、前記第２係入溝６１１の底部に位置する第２ロック孔６１２とを有し、また前記第２管体２４の頂縁に、前記第１ロック孔６０２と、第２ロック孔６１２とに対応する挿通孔２４２が設けられている。前記第１横棒１０と前記第２管体２４との取り付け時に、第１係入溝６０１と第２係入溝６１１との内壁を、それぞれそれに相対応する前記第２管体２４の外周縁に係止嵌合させると共に、前記第１ロック孔６０２、第２ロック孔６１２及び前記挿通孔２４２を相互に同心的に対応させるほか、ボルト６２が前記第１ロック孔６０２、第２ロック孔６１２及び前記挿通孔２４２内に突き通されることによって、前記第１横棒１０、前記第１係合具６０、前記第２管体２４及び前記第２係合具６１を一緒に連結することができる。
【００１５】
上述の構造組立構成による本考案の使用作動状況について以下のように説明する。まず、図４〜図６に示すように、第２管体２４を第１管体２３の内部に一部嵌め込んで、前記取付座４０を第１管体２３の外周縁上に嵌め込んで固定させ、第１位置決め孔２３１、第２位置決め孔２４１及びねじ孔４１が相互に同心的に対応する時に、第１位置決め具２５のねじ山部２５２を前記第１位置決め孔２３１に螺合し、凸部２５３を前記第１位置決め孔２３１に貫通させて前記第２位置決め孔２４１内に挿入する。次に、図７に示すように、第１位置決め具２５をさらに回動することによって、段差部２５４を前記第２管体２４の管壁に当接させて突っ張らせると同時に、前記第２管体２４の一部外周縁が前記第１管体２３の一部内周縁に当接することで、前記第１管体２３と第２管体２４とをロック固定状態に位置させる。このほか、図１〜図３に示すように、使用者は、必要に応じて任意に第１管体２３と、第２管体２４との高さ位置を調整することができる。
【００１６】
図９に示すのは、本考案の第２実施形態であり、これと好適な実施形態（第１実施形態）との主な相違点は、脚台３０が断面で方形の管体である点にある。
【００１７】
（効果の説明）
本考案により提供される「伸縮機能付きハンガーラック」は、主に上記の第１管体、第２管体や第１位置決め具などのような斬新な独特の構造形態と技術的特徴により、本考案を「背景技術」に言及した従来の構造に比較すると、第１位置決め具の凸部が前記第１位置決め孔を貫通して当該第２位置決め孔に挿入され、かつ第１位置決め具の段差部が前記第２管体の管壁で突っ張ることで、前記第２管体の一部外周縁を前記第１管体の一部内周縁に当接させ、これにより、第１位置決め具による直接かつ便利に緊迫・当接する固定方式を利用して、さらに本考案のハンガーラックの耐荷重性能を増大させることができ、かつより簡便な伸縮調節方式をさらに提供することができ、さらに、第１、第２管体が断面で方形の管体であるため、第２管体を第１管体と相対的に摺動自在かつ相対的に回転不能に保持し、かつ脚台を第１管体上にロックしているため、第１管体との相対的回転に伴うハンガーラックの揺れが防止されることから、ハンガーラック構造の安定度が改善され、とりわけ実用性と技術的利点を有するものである。
【符号の説明】
【００１８】
１０：第１横棒
２０：縦棒
２１：第１端
２２：第２端
２３：第１管体
２３１：第１位置決め孔
２４：第２管体
２４１：第２位置決め孔
２４２：挿通孔
２５：第１位置決め具
２５１：頭部
２５２：ねじ山部
２５３：凸部
２５４：段差部
２５５：グリップ
３０：脚台
４０：取付座
４１：ねじ孔
５０：第２横棒
５１：第２位置決め具
６０：第１係合具
６０１：第１係入溝
６０２：第１ロック孔
６１：第２係合具
６１１：第２係入溝
６１２：第２ロック孔
６２：ボルト
【図１】
0003215641.tif 000003
【図２】
0003215641.tif 000004
【図３】
0003215641.tif 000005
【図４】
0003215641.tif 000006
【図５】
0003215641.tif 000007
【図６】
0003215641.tif 000008
【図７】
0003215641.tif 000009
【図８】
0003215641.tif 000010
【図９】
0003215641.tif 000011